(57)【要約】      （修正有）【課題】上段の寝室の床パネルの強度を確保して、下段の寝室の利用者が受ける不快感や不安感を抑えることができ、上段の寝室の利用者が無理な姿勢を取ることなく容易に目的の寝室に出入りでき、容易かつ低コストで組み立てることができるカプセルベッドを提供する。【解決手段】前後方向に延びるカプセル状の寝室が形成され、寝室は、複数積み重ねられた構造体のそれぞれにおいて、左右方向に複数並んで設けられ、上下に互いに隣接して積み重ねられる２つの構造体において、上側の構造体の複数の床パネルの左右方向のそれぞれの略中間位置に下側の構造体の複数の区画パネルがそれぞれ配置されている。【選択図】図１
2018035516.tif 000002
【特許請求の範囲】
【請求項１】
左右方向に延びる構造体が、左右方向に直交する上下方向に複数積み重ねられてなるカプセルベッドであって、
上下方向及び左右方向に直交する前後方向の奥側が背面パネルで閉じられ、かつ、左右方向の両端部が側面パネルで閉じられており、
前記複数の構造体は、それぞれ、
上下方向及び前後方向に沿ってそれぞれ延び、かつ、左右方向において側面が互いに対向するようにそれぞれ配置される、複数の区画パネルと、
左右方向及び前後方向にそれぞれ延びるように配置される複数の床パネルと、
左右方向及び前後方向にそれぞれ延び、かつ、前記複数の床パネルの上方において、前記複数の床パネルにそれぞれ対向して配置される複数の天井パネルとを備え、
隣り合う２枚の区画パネルと、互いに対向しあう一組の前記天井パネル及び前記床パネルと、前記背面パネルとで、前後方向に延びるカプセル状の寝室が形成され、
前記寝室は、複数積み重ねられた前記構造体のそれぞれにおいて、左右方向に複数並んで設けられ、
上下に互いに隣接して積み重ねられる２つの前記構造体において、上側の構造体の複数の前記床パネルの左右方向のそれぞれの略中間位置に下側の構造体の複数の前記区画パネルがそれぞれ配置されていることを特徴とするカプセルベッド。
【請求項２】
左右方向に延びる構造体が、左右方向に直交する上下方向に複数積み重ねられてなるカプセルベッドであって、
前記複数の構造体のそれぞれにおいて、
左右方向にそれぞれ延び、かつ、上下方向及び左右方向に直交する前後方向において所定の間隔で互いに対向して配置される一組の桁が、上下方向において第１の間隔で二組配置され、
前後方向に延び、上下方向において互いに対向して配置される一組の梁が、左右方向において第２の間隔で複数組配置され、
上下方向に延び、前後方向において互いに対向して配置される一組の柱が、左右方向において前記第２の間隔で複数組配置され、
前記梁の前後方向の両端部が前記一組の桁にそれぞれ結合され、
前記柱の上下方向の両端部が上下方向で互いに対向する二つの前記桁にそれぞれ結合され、
前記梁と前記柱は、一組ずつが、前記桁の同じ位置に結合され、
上下に互いに隣接して積み重ねられる２つの前記構造体において、上側の構造体の前記複数組の梁の左右方向のそれぞれの略中間位置に下側の構造体の前記複数組の梁がそれぞれ配置されていることを特徴とするカプセルベッド。
【請求項３】
上下方向及び左右方向に直交する前後方向の奥側が背面パネルで閉じられ、かつ、左右方向の両端部が側面パネルで閉じられており、
前記複数の構造体は、それぞれ、
前記各組の梁にそれぞれ支持された複数の区画パネルと、
前記各組の桁にそれぞれ支持される、複数の天井パネル及び複数の床パネルとを備え、
前記複数の区画パネルは、上下方向及び前後方向に沿ってそれぞれ延び、かつ、左右方向において側面が互いに対向するようにそれぞれ配置され、
前記複数の床パネルは、左右方向及び前後方向にそれぞれ延びるように配置され、
前記複数の天井パネルは、左右方向及び前後方向にそれぞれ延び、かつ、前記複数の床パネルの上方において、前記複数の床パネルにそれぞれ対向して配置され、
隣り合う２枚の区画パネルと、互いに対向しあう一組の前記天井パネル及び前記床パネルと、前記背面パネルとで、前後方向に延びるカプセル状の寝室が形成されることを特徴とする請求項２に記載のカプセルベッド。
【請求項４】
上下に互いに隣接して積み重ねられる２つの前記構造体の前部において、上側の構造体で左右方向に隣り合う２本の柱と、下側の構造体の左右方向で前記２本の柱の間に配置された柱とによって支持された、正面視Ｙ字状の前面化粧部を備えることを特徴とする請求項２に記載のカプセルベッド。
【請求項５】
前記前面化粧部は、前記下側の構造体の左右方向で前記２本の柱の間に配置された柱に支持された足場部と、前記上側の構造体で左右方向に隣り合う２本の柱のそれぞれに支持された、２つの区画フレーム部とからなることを特徴とする請求項４に記載のカプセルベッド。
【請求項６】
前記前面化粧部は、プラスチックのブロー成形品であることを特徴とする請求項４に記載のカプセルベッド。
【請求項７】
前記区画パネル、前記背面パネル、前記側面パネル、及び、前記天井パネルは、金属板で構成されることを特徴とする請求項１又は請求項３に記載のカプセルベッド。
【請求項８】
前記床パネルは、木製の板材で構成されることを特徴とする請求項１又は請求項３に記載のカプセルベッド。
【請求項９】
前記桁、前記梁、及び、前記柱は、金属の押出成形品であることを特徴とする請求項２に記載のカプセルベッド。
【請求項１０】
前記桁、前記梁、及び、前記柱は、結合金具によって互いに結合されることを特徴とする請求項２に記載のカプセルベッド。
【請求項１１】
前記区画パネルは、前記梁に固定された取付レール材に係合されることを特徴とする請求項２に記載のカプセルベッド。
【発明の詳細な説明】
【技術分野】
【０００１】
本発明は、カプセル状の寝室を上下左右に並べて設けたカプセルベッドに関する。
【背景技術】
【０００２】
特許文献１に記載のカプセルベッドは、同一構造をなす上段カプセルベッドと下段カプセルベッドとが、互いに上下に積み重ねられて配されている。このカプセルベッドは、鉄枠製の支持フレームと、この支持フレーム内に組み付けられたカプセルベッド本体と、このカプセルベッド本体の左右及び後端面を支持フレームの外側から覆う外装パネルとで構成されている。
【０００３】
上記構成のカプセルベッドは、左右方向に隣接して複数配置され、左右に隣り合うカプセルベッド本体間の支持フレームには、上下に並ぶ複数のステップと手摺が設けられる。上段カプセルベッドの利用者は、ステップと手摺を伝って上り下りし、最下段のステップに対して斜め上に位置する上段カプセルベッドに出入りする。
【先行技術文献】
【特許文献】
【０００４】
【特許文献１】特開平５−２４８１０７号公報
【発明の概要】
【発明が解決しようとする課題】
【０００５】
しかしながら、特許文献１に記載のカプセルベッドは、中空のカプセルベッド本体が上下に積み重ねられた構成であることから、その床板は外縁部分のみで支持されることとなるため、床板の中央部に負荷がかかると軋みや歪みが生じ、下段カプセルベッドの利用者に不快感や不安感を与えるおそれがあった。
また、カプセルベッド本体が上下に積み重ねられ、かつ、左右に並んだカプセルベッド本体の間にステップと手摺が設けられているため、上段カプセルベッドの利用者は、ステップを上った後に目的のカプセルベッド本体へ向けて横又は斜め上に移動しなければならない。この移動の際に、前記利用者は、下段カプセルベッドの出入り口を避けるような経路をとるために、片手で手摺をつかんで自身を支えるなど無理な姿勢を強いられる。
【０００６】
そこで本発明は、上段の寝室の床パネルの強度を確保し、下段の寝室の利用者が受けうる不快感や不安感を抑えることができるカプセルベッドを提供することを目的とする。また、上段の寝室の利用者が、無理な姿勢を取ることなく容易に目的の寝室に出入りできるカプセルベッドを提供することを目的とする。さらに、このようなカプセルベッドを容易かつ低コストで組み立てることができる構成を提供することを目的としている。
【課題を解決するための手段】
【０００７】
上記課題を解決するために、本発明のカプセルベッドは、左右方向に延びる構造体が、左右方向に直交する上下方向に複数積み重ねられてなるカプセルベッドであって、上下方向及び左右方向に直交する前後方向の奥側が背面パネルで閉じられ、かつ、左右方向の両端部が側面パネルで閉じられており、複数の構造体は、それぞれ、上下方向及び前後方向に沿ってそれぞれ延び、かつ、左右方向において側面が互いに対向するようにそれぞれ配置される、複数の区画パネルと、左右方向及び前後方向にそれぞれ延びるように配置される複数の床パネルと、左右方向及び前後方向にそれぞれ延び、かつ、複数の床パネルの上方において、複数の床パネルにそれぞれ対向して配置される複数の天井パネルとを備え、隣り合う２枚の区画パネルと、互いに対向しあう一組の天井パネル及び床パネルと、背面パネルとで、前後方向に延びるカプセル状の寝室が形成され、寝室は、複数積み重ねられた構造体のそれぞれにおいて、左右方向に複数並んで設けられ、上下に互いに隣接して積み重ねられる２つの構造体において、上側の構造体の複数の床パネルの左右方向のそれぞれの略中間位置に下側の構造体の複数の区画パネルがそれぞれ配置されていることを特徴とする。
【０００８】
本発明のカプセルベッドは、左右方向に延びる構造体が、左右方向に直交する上下方向に複数積み重ねられてなるカプセルベッドであって、複数の構造体のそれぞれにおいて、左右方向にそれぞれ延び、かつ、上下方向及び左右方向に直交する前後方向において所定の間隔で互いに対向して配置される一組の桁が、上下方向において第１の間隔で二組配置され、前後方向に延び、上下方向において互いに対向して配置される一組の梁が、左右方向において第２の間隔で複数組配置され、上下方向に延び、前後方向において互いに対向して配置される一組の柱が、左右方向において第２の間隔で複数組配置され、梁の前後方向の両端部が一組の桁にそれぞれ結合され、柱の上下方向の両端部が上下方向で互いに対向する二つの桁にそれぞれ結合され、梁と柱は、一組ずつが、桁の同じ位置に結合され、上下に互いに隣接して積み重ねられる２つの構造体において、上側の構造体の複数組の梁の左右方向のそれぞれの略中間位置に下側の構造体の複数組の梁がそれぞれ配置されていることを特徴とする。
【０００９】
本発明のカプセルベッドにおいて、上下方向及び左右方向に直交する前後方向の奥側が背面パネルで閉じられ、かつ、左右方向の両端部が側面パネルで閉じられており、複数の構造体は、それぞれ、各組の梁にそれぞれ支持された複数の区画パネルと、各組の桁にそれぞれ支持される、複数の天井パネル及び複数の床パネルとを備え、複数の区画パネルは、上下方向及び前後方向に沿ってそれぞれ延び、かつ、左右方向において側面が互いに対向するようにそれぞれ配置され、複数の床パネルは、左右方向及び前後方向にそれぞれ延びるように配置され、複数の天井パネルは、左右方向及び前後方向にそれぞれ延び、かつ、複数の床パネルの上方において、複数の床パネルにそれぞれ対向して配置され、隣り合う２枚の区画パネルと、互いに対向しあう一組の天井パネル及び床パネルと、背面パネルとで、前後方向に延びるカプセル状の寝室が形成されることが好ましい。
【００１０】
本発明のカプセルベッドにおいて、上下に互いに隣接して積み重ねられる２つの構造体の前部において、上側の構造体で左右方向に隣り合う２本の柱と、下側の構造体の左右方向で２本の柱の間に配置された柱とによって支持された、正面視Ｙ字状の前面化粧部を備えることが好ましい。
【００１１】
本発明のカプセルベッドにおいて、前面化粧部は、下側の構造体の左右方向で２本の柱の間に配置された柱に支持された足場部と、上側の構造体で左右方向に隣り合う２本の柱のそれぞれに支持された、２つの区画フレーム部とからなることが好ましい。
【００１２】
本発明のカプセルベッドにおいて、前面化粧部は、プラスチックのブロー成形品であることが好ましい。
【００１３】
本発明のカプセルベッドにおいて、区画パネル、背面パネル、側面パネル、及び、天井パネルは、金属板で構成されることが好ましい。
【００１４】
本発明のカプセルベッドにおいて、床パネルは、木製の板材で構成されることが好ましい。
【００１５】
本発明のカプセルベッドにおいて、桁、梁、及び、柱は、金属の押出成形品であることが好ましい。
【００１６】
本発明のカプセルベッドにおいて、桁、梁、及び、柱は、結合金具によって互いに結合されることが好ましい。
【００１７】
本発明のカプセルベッドにおいて、区画パネルは、梁に固定された取付レール材に係合されることが好ましい。
【発明の効果】
【００１８】
本発明によると、カプセルベッドにおいて、上段の寝室の床パネルの強度を確保し、下段の寝室の利用者が受けうる不快感や不安感を抑えることができる。また、上段の寝室の利用者が、無理な姿勢を取ることなく容易に目的の寝室に出入りすることができる。さらに、このようなカプセルベッドを容易かつ低コストで組み立てることができる。
【図面の簡単な説明】
【００１９】
【図１】本発明の実施形態に係るカプセルベッドの外観構成を示す斜視図である。
【図２】本発明の実施形態に係るカプセルベッドの構成を示す側面図である。
【図３】本発明の実施形態に係るカプセルベッドの骨格構造を示す斜視図である。
【図４】本発明の実施形態における、桁、梁、及び、柱の結合構造を示す斜視図である。
【図５】図３に示す骨格構造に対してパネルを取り付けた状態を示す斜視図である。
【図６】一組の梁による側面の支持構造を示す斜視図である。
【図７】（Ａ）は梁による側面パネルの上部の支持構造を示す側面図、（Ｂ）は梁による側面の下部の支持構造を示す側面図、（Ｃ）は梁と、取り付けレール材と、レール部との関係を示す側面図である。
【図８】床パネルが一組の桁によって支持される構造を示す斜視図である。
【図９】一部の前面化粧部の支持構造を示す斜視図である。
【図１０】図９に対応する前面化粧部の支持構造を示す背面図である。
【発明を実施するための形態】
【００２０】
以下、本発明の実施形態に係るカプセルベッドについて図面を参照しつつ詳しく説明する。
各図には、基準座標としてＸ−Ｙ−Ｚ座標が示されている。Ｘ１−Ｘ２方向は左右方向であり、Ｙ１−Ｙ２方向は前後方向であり、Ｚ１−Ｚ２方向は上下方向であって、これらの３方向は互いに直交している。ここで、Ｘ１方向は右方向、Ｘ２方向は左方向、Ｙ１方向は前方向、Ｙ２方向は後方向又は奥方向、Ｚ１は上方向、Ｚ２は下方向である。以下の説明において、Ｙ２方向に沿って見た状態を正面視ということがある。
【００２１】
まず、各パネルの配置を中心にしてカプセルベッド１０の構成を説明する。図１は、本実施形態に係るカプセルベッド１０の外観構成を示す斜視図である。
図１に示すように、カプセルベッド１０は、利用者が寝泊まりするためのカプセル状の寝室がＸ１−Ｘ２方向に複数並んだ構造体がＺ１−Ｚ２方向に２層積み重ねられた構成を有する。より具体的には、下側の構造体２０では、３つの寝室２１、２２、２３がＸ１−Ｘ２方向に順に並び、前記構造体２０上に積み重ねられる、上側の構造体３０では、４つの寝室３１、３２、３３、３４がＸ１−Ｘ２方向に順に並んでいる。下側の構造体２０に設けられた寝室２１〜２３と、上側の構造体３０に設けられた寝室３１〜３４は互いに同一の形状を有する。
【００２２】
なお、本実施形態のカプセルベッド１０は、上下２段の構造体からなり、下側の構造体２０に３つの寝室２１〜２３を設け、上側の構造体３０に４つの寝室３１〜３４を設けた例であるが、本発明のカプセルベッドは、構造体を３段以上にしてもよく、また、Ｘ１−Ｘ２方向に並ぶ寝室の数はこの実施形態の数に限定されない。
【００２３】
下側の構造体２０において、左端の寝室２１の左側には小室２４が設けられ、右端の寝室２３の右側には小室２５が設けられている。これらの小室２４、２５は、寝室２１〜２３よりも、Ｘ１−Ｘ２方向のサイズが小さく、保守用品、清掃用品、空調設備等の収納に用いられる。また、これらの小室は、寝室とは異なって側面に出入り口を設けることも可能であり、これにより、利用者から視認されづらくすることが可能となり、また、前面に設けるよりも大きな、又は、自由な形態の出入り口とすることができる。
【００２４】
カプセルベッド１０は、Ｘ１−Ｘ２方向の左端が側面パネル４１、４２で閉じられ、右端が側面パネル４３、４４で閉じられ、Ｙ２方向の奥側が背面パネル４５、４６（図２）で閉じられている。ここで、図２は、カプセルベッド１０の構成を示す側面図である。
また、カプセルベッド１０は、Ｚ１−Ｚ２方向において、下部が床パネル７１、７２、７３、７４、７５で閉じられ、上部が天井パネル８１、８２、８３、８４で閉じられている。以上の構成により、カプセルベッド１０は、正面視において全体として矩形状をなしている。また、上側の構造体３０の下部は床パネル９１、９２、９３、９４で閉じられている。ここで、側面パネル４１、４２、４３、４４、背面パネル４５、４６、及び、天井パネル８１、８２、８３、８４は、金属板、例えばアルミ複合板で構成される。また、床パネル７１〜７５及び床パネル９１〜９４は、木製の板材、例えば合板で構成される。
【００２５】
下側の構造体２０に設けられた、小室２４、寝室２１〜２３、及び、小室２５は、Ｘ１−Ｘ２方向において区画パネル５１、５２、５３、５４によってそれぞれ区切られている。これらの区画パネル５１〜５４は、金属板、例えばアルミ複合板で構成され、側面がＺ１−Ｚ２方向及びＹ１−Ｙ２方向にそれぞれ延び、かつ、Ｘ１−Ｘ２方向において側面が互いに対向している。
【００２６】
また、上側の構造体３０に設けられた寝室３１〜３４は、Ｘ１−Ｘ２方向において、区画パネル６１、６２、６３によってそれぞれ区切られている。これらの区画パネル６１〜６３は、下側の構造体２０における区画パネル５１〜５４と同じ金属板、例えばアルミ複合板で構成され、側面がＺ１−Ｚ２方向及びＹ１−Ｙ２方向にそれぞれ延び、かつ、Ｘ１−Ｘ２方向において側面が互いに対向している。
【００２７】
図５に示すように、上下に積み重ねられた構造体２０、３０において、上側の構造体３０の床パネル９１のＸ１−Ｘ２方向のそれぞれの中間位置に下側の構造体２０の区画パネル５１が配置されている。同様に、上側の構造体３０の床パネル９２、９３、９４のＸ１−Ｘ２方向のそれぞれの中間位置に下側の構造体２０の区画パネル５２、５３、５４がそれぞれ配置されている。
これによって、上側の構造体３０の床パネル９１、９２、９３、９４が中央で支持されるため、特にＺ１−Ｚ２方向における強度を高めることができ、利用者の体重によって床パネル９１、９２、９３、９４に負荷がかかっても軋みや歪みが生じにくくなり、これによって、下段の寝室の利用者に対して与える不快感や不安感を少なくすることができる。
【００２８】
図１に示すように、カプセルベッド１０の前部には、正面視Ｙ字状の４つの前面化粧部１００、１１０、１２０、１３０が設けられている。
前面化粧部１００は、Ｚ１−Ｚ２方向に順に並んで設けられたステップ１０１ａ、１０１ｂ、１０１ｃを有する足場部１０１と、足場部１０１の上部の左右端部からそれぞれ上方へ延びる２つの区画フレーム部１０２、１０３とを備える。ステップ１０１ａ、１０１ｂ、１０１ｃは、寝室３１の利用者が上り下りの際に足先を入れられるようにＹ２方向へ凹んだ形状を備える。区画フレーム部１０２、１０３には、互いに対向する側面１０２ｓ、１０３ｓからＸＺ面内で延びる手摺１０２ａ、１０３ａがそれぞれ設けられている。足場部１０１は、区画パネル５１に対応する位置に配置され、区画フレーム部１０２、１０３は、側面パネル４４と区画パネル６１にそれぞれ対応する位置に配置されており、下側の構造体２０の小室２４と寝室２１、及び、上側の構造体３０の寝室３１の入口を形成するとともに、カプセルベッド１０の前面を装飾する効果を奏している。
【００２９】
前面化粧部１１０、１２０、１３０は、上記前面化粧部１００と同様の構成を備える。すなわち、前面化粧部１１０は、区画パネル５２に対応する位置に設けられた足場部１１１と、この足場部１１１の上部の左右両端部からそれぞれ上方へ延びる２つの区画フレーム部１１２、１１３とを備える。これらの区画フレーム部１１２、１１３は、区画パネル６１、６２にそれぞれ対応する位置に配置されている。前面化粧部１２０は、区画パネル５３に対応する位置に設けられた足場部１２１と、この足場部１２１の上部の左右両端部からそれぞれ上方へ延びる２つの区画フレーム部１２２、１２３とを備える。これらの区画フレーム部１２２、１２３は、区画パネル６２、６３にそれぞれ対応する位置に配置されている。前面化粧部１３０は、区画パネル５４に対応する位置に設けられた足場部１３１と、この足場部１３１の上部の左右両端部からそれぞれ上方へ延びる２つの区画フレーム部１３２、１３３とを備える。これらの区画フレーム部１３２、１３３は、区画パネル６３と側面パネル４２にそれぞれ対応する位置に配置されている。
【００３０】
前面化粧部１００の区画フレーム部１０３と、その右側の前面化粧部１１０の区画フレーム部１１２は、それぞれにおけるＸ１−Ｘ２方向外側の側面１０３ｂ、１１２ｂが、Ｘ１−Ｘ２方向において区画パネル６１に対応する位置で、互いに結合されている。同様に、前面化粧部１１０の区画フレーム部１１３と右隣の前面化粧部１２０の区画フレーム部１２２は、それぞれにおけるＸ１−Ｘ２方向外側の側面が、Ｘ１−Ｘ２方向において区画パネル６２に対応する位置で互いに結合され、前面化粧部１２０の区画フレーム部１２３と右隣の前面化粧部１３０の区画フレーム部１３２は、それぞれにおけるＸ１−Ｘ２方向外側の側面が、Ｘ１−Ｘ２方向において区画パネル６３に対応する位置で互いに結合されている。
ここで、前面化粧部１００、１１０、１２０、１３０は、例えば、難燃性のプラスチックをブロー成形することによって製造される。
【００３１】
次に、カプセルベッド１０の骨格をなす、桁、梁、及び、柱の構成と、カプセルベッド１０の組み立て過程に関して説明する。ここで、桁、梁、及び、柱は、金属、例えばアルミニウムの押出成形品である。
なお、以下に説明する、桁、梁、及び、柱の構成は、図１に示すカプセルベッド１０の骨格構造の一例であり、これ以外の構成も可能である。
【００３２】
図３は、カプセルベッド１０の骨格構造を示す斜視図であり、区画パネルその他のパネルや前面化粧部を取り付ける前の状態を示す図である。
図３に示すように、Ｘ１−Ｘ２方向に延び、かつ、Ｙ１−Ｙ２方向において所定の間隔、すなわち寝室の奥行きサイズとして適当な間隔で互いに対向するように配置された、同一形状の３組の桁が設けられている。具体的には、Ｚ１方向上側から、１つ目の組の桁１４１ａ、１４１ｂ、２つ目の組の桁１４２ａ、１４２ｂ、及び、３つ目の組の桁１４３ａ、１４３ｂが設けられている。これらの桁のうち、３つの桁１４１ａ、１４２ａ、１４３ａはＺ１−Ｚ２方向において、上側から順に、かつ、互いに平行に第１の間隔、すなわち寝室の高さとして適当な間隔で設けられ、カプセルベッド１０の前面を構成するように配置されている。また、残りの３つの桁１４１ｂ、１４２ｂ、１４３ｂはＺ１−Ｚ２方向において、上側から順に、かつ、互いに平行に設けられ、カプセルベッド１０の背面を構成するように配置されている。これら３組の桁によってカプセルベッド１０のＸ１−Ｘ２方向のサイズが定められ、最上部の一組の桁１４１ａ、１４１ｂと、中間の一組の桁１４２ａ、１４２ｂとが上側の構造体３０に係わり、中間の一組の桁１４２ａ、１４２ｂと、最下部の一組の桁１４３ａ、１４３ｂとが下側の構造体２０に係わる。
【００３３】
図３に示すように、上側の構造体３０において、Ｙ１−Ｙ２方向に延び、かつ、Ｘ１−Ｘ２方向において第２の間隔、すなわち、寝室の幅サイズとして適当な間隔で互いに対向するように配置された、同一形状の５組の梁が設けられている。具体的には、Ｘ１−Ｘ２方向において左端部から右端部へ順に、１つ目の組の梁１５１ａ、１５１ｂ、２つ目の組の梁１５２ａ、１５２ｂ、３つ目の組の梁１５３ａ、１５３ｂ、４つ目の組の梁１５４ａ、１５４ｂ、及び、５つ目の組の梁１５５ａ、１５５ｂが設けられている。
【００３４】
最も左側に配置される１つ目の組の梁１５１ａ、１５１ｂのうち、上側の梁１５１ａは、Ｙ１−Ｙ２方向の両端部が、カプセルベッド１０の前面に位置する桁１４１ａと、背面に位置する桁１４１ｂとに、結合金具２０１ａ、２０１ｂによってそれぞれ結合される。また、下側の梁１５１ｂは、Ｙ１−Ｙ２方向の両端部が、カプセルベッド１０の前面に位置する桁１４２ａと結合金具２１１ａ、２２５ａにより結合され、または、背面に位置する桁１４２ｂと結合金具２１１ｂ、２２６ａによってそれぞれ結合される。
【００３５】
左から２つ目の組の梁１５２ａ、１５２ｂのうち、上側の梁１５２ａは、Ｙ１−Ｙ２方向の両端部が、桁１４１ａと桁１４１ｂとに、結合金具２０２ａ、２０２ｂによってそれぞれ結合される。また、下側の梁１５２ｂのＹ１−Ｙ２方向の両端部は、桁１４２ａと桁１４２ｂとに、結合金具２１２ａ、２１２ｂによってそれぞれ結合される。
【００３６】
左から３つ目の組の梁１５３ａ、１５３ｂのうち、上側の梁１５３ａは、Ｙ１−Ｙ２方向の両端部が、桁１４１ａと桁１４１ｂとに、結合金具２０３ａ、２０３ｂによってそれぞれ結合される。また、下側の梁１５３ｂのＹ１−Ｙ２方向の両端部は、桁１４２ａと桁１４２ｂとに、結合金具２１３ａ、２１３ｂによってそれぞれ結合される。
【００３７】
左から４つ目の組の梁１５４ａ、１５４ｂのうち、上側の梁１５４ａは、Ｙ１−Ｙ２方向の両端部が、桁１４１ａと桁１４１ｂとに、結合金具２０４ａ、２０４ｂによってそれぞれ結合される。また、下側の梁１５４ｂのＹ１−Ｙ２方向の両端部は、桁１４２ａと桁１４２ｂとに、結合金具２１４ａ、２１４ｂによってそれぞれ結合される。
【００３８】
最も右側に配置される５つ目の組の梁１５５ａ、１５５ｂのうち、上側の梁１５５ａは、Ｙ１−Ｙ２方向の両端部が、桁１４１ａと桁１４１ｂとに、結合金具２０５ａ、２０５ｂによってそれぞれ結合される。また、下側の梁１５５ｂのＹ１−Ｙ２方向の両端部は、桁１４２ａと結合金具２１５ａ、２２６ａにより結合され、または、桁１４２ｂと結合金具２１５ａ、２２６ｂによってそれぞれ結合される。
【００３９】
図３に示すように、下側の構造体２０において、Ｙ１−Ｙ２方向に延び、かつ、Ｘ１−Ｘ２方向において上記第２の間隔で互いに対向するように配置された、同一形状の４組の梁が設けられている。具体的には、Ｘ１−Ｘ２方向において左端部から右端部へ順に、１つ目の組の梁１６１ａ、１６１ｂ、２つ目の組の梁１６２ａ、１６２ｂ、３つ目の組の梁１６３ａ、１６３ｂ、及び、４つ目の組の梁１６４ａ、１６４ｂが設けられている。
さらに、左下部の梁１６１ｂの左側であって、Ｚ１−Ｚ２方向において梁１５１ｂと対向するように梁１６５が設けられ、また、右下部の梁１６４ｂの右側であって、Ｚ１−Ｚ２方向において梁１５５ｂと対向するように梁１６６が設けられている。
【００４０】
最も左側に配置される梁１６５は、Ｙ１−Ｙ２方向の両端部が、カプセルベッド１０の前面に位置する桁１４３ａと、背面に位置する桁１４３ｂとに、結合金具２３５ａ、２３５ｂによってそれぞれ結合される。
【００４１】
左から１つ目の組の梁１６１ａ、１６１ｂのうち、上側の梁１６１ａは、Ｙ１−Ｙ２方向の両端部が、桁１４２ａと桁１４２ｂとに、結合金具２２１ａ、２２１ｂによってそれぞれ結合される。また、下側の梁１６１ｂのＹ１−Ｙ２方向の両端部は、桁１４３ａと桁１４３ｂとに、結合金具２３１ａ、２３１ｂによってそれぞれ結合される。
【００４２】
左から２つ目の組の梁１６２ａ、１６２ｂのうち、上側の梁１６２ａは、Ｙ１−Ｙ２方向の両端部が、桁１４２ａと桁１４２ｂとに、結合金具２２２ａ、２２２ｂによってそれぞれ結合される。また、下側の梁１６２ｂのＹ１−Ｙ２方向の両端部は、桁１４３ａと桁１４３ｂとに、結合金具２３２ａ、２３２ｂによってそれぞれ結合される。
【００４３】
左から３つ目の組の梁１６３ａ、１６３ｂのうち、上側の梁１６３ａは、Ｙ１−Ｙ２方向の両端部が、桁１４２ａと桁１４２ｂとに、結合金具２２３ａ、２２３ｂによってそれぞれ結合される。また、下側の梁１６３ｂのＹ１−Ｙ２方向の両端部は、桁１４３ａと桁１４３ｂとに、結合金具２３３ａ、２３３ｂによってそれぞれ結合される。
【００４４】
左から４つ目の組の梁１６４ａ、１６４ｂのうち、上側の梁１６４ａは、Ｙ１−Ｙ２方向の両端部が、桁１４２ａと桁１４２ｂとに、結合金具２２４ａ、２２４ｂによってそれぞれ結合される。また、下側の梁１６４ｂのＹ１−Ｙ２方向の両端部は、桁１４３ａと桁１４３ｂとに、結合金具２３４ａ、２３４ｂによってそれぞれ結合される。
【００４５】
最も右側に配置される梁１６６は、Ｙ１−Ｙ２方向の両端部が、桁１４３ａと桁１４３ｂとに、結合金具２３６ａ、２３６ｂによってそれぞれ結合される。
【００４６】
図３に示すように、上側の構造体３０において、Ｚ１−Ｚ２方向に延び、かつ、Ｙ１−Ｙ２方向において上記第２の間隔で互いに対向するように配置された、同一形状の５組の柱が設けられている。具体的には、Ｘ１−Ｘ２方向において左端部から右端部へ順に、１つ目の組の柱１７１ａ、１７１ｂ、２つ目の組の柱１７２ａ、１７２ｂ、３つ目の組の柱１７３ａ、１７３ｂ、４つ目の組の柱１７４ａ、１７４ｂ、及び、５つ目の組の柱１７５ａ、１７５ｂが設けられている。
【００４７】
最も左側に配置される１つ目の組の柱１７１ａ、１７１ｂのうち、前側の柱１７１ａは、Ｚ１−Ｚ２方向の両端部が、桁１４１ａと桁１４２ａとに、結合金具２０１ａ、２１１ａによってそれぞれ結合される。また、奥側（背面側）の柱１７１ｂは、Ｚ１−Ｚ２方向の両端部が、桁１４１ｂと桁１４２ｂとに、結合金具２０１ｂ、２１１ｂによりそれぞれ結合される。
【００４８】
左から２つ目の柱１７２ａ、１７２ｂのうち、前側の柱１７２ａは、Ｚ１−Ｚ２方向の両端部が、桁１４１ａと桁１４２ａとに、結合金具２０２ａ、２１２ａによってそれぞれ結合される。また、奥側の柱１７２ｂは、Ｚ１−Ｚ２方向の両端部が、桁１４１ｂと桁１４２ｂとに、結合金具２０２ｂ、２１２ｂによりそれぞれ結合される。
【００４９】
左から３つ目の柱１７３ａ、１７３ｂのうち、前側の柱１７３ａは、Ｚ１−Ｚ２方向の両端部が、桁１４１ａと桁１４２ａとに、結合金具２０３ａ、２１３ａによってそれぞれ結合される。また、奥側の柱１７３ｂは、Ｚ１−Ｚ２方向の両端部が、桁１４１ｂと桁１４２ｂとに、結合金具２０３ｂ、２１３ｂによりそれぞれ結合される。
【００５０】
左から４つ目の柱１７４ａ、１７４ｂのうち、前側の柱１７４ａは、Ｚ１−Ｚ２方向の両端部が、桁１４１ａと桁１４２ａとに、結合金具２０４ａ、２１４ａによってそれぞれ結合される。また、奥側の柱１７４ｂは、Ｚ１−Ｚ２方向の両端部が、桁１４１ｂと桁１４２ｂとに、結合金具２０４ｂ、２１４ｂによりそれぞれ結合される。
【００５１】
最も右側に配置される５つ目の柱１７５ａ、１７５ｂのうち、前側の柱１７５ａは、Ｚ１−Ｚ２方向の両端部が、桁１４１ａと桁１４２ａとに、結合金具２０５ａ、２１５ａによってそれぞれ結合される。また、奥側の柱１７５ｂは、Ｚ１−Ｚ２方向の両端部が、桁１４１ｂと桁１４２ｂとに、結合金具２０５ｂ、２１５ｂによりそれぞれ結合される。
【００５２】
図３に示すように、下側の構造体２０において、Ｚ１−Ｚ２方向に延び、かつ、Ｙ１−Ｙ２方向において上記第２の間隔で互いに対向するように配置された、同一形状の４組の柱が設けられている。具体的には、Ｘ１−Ｘ２方向において左端部から右端部へ順に、１つ目の組の柱１８１ａ、１８１ｂ、２つ目の組の柱１８２ａ、１８２ｂ、３つ目の組の柱１８３ａ、１８３ｂ、及び、４つ目の組の柱１８４ａ、１８４ｂが設けられている。
さらに、これらのうちで最も左側の組の柱１８１ａ、１８１ｂの左側には、Ｚ１−Ｚ２方向において柱１７１ａ、１７１ｂとそれぞれ連なるように一組の柱１８５ａ、１８５ｂが設けられている。また、最も右側の組の柱１８４ａ、１８４ｂの右側には、Ｚ１−Ｚ２方向において柱１７５ａ、１７５ｂとそれぞれ連なるように一組の柱１８６ａ、１８６ｂが設けられている。
【００５３】
最も左側に配置される組の柱１８５ａ、１８５ｂのうち、前側の柱１８５ａは、Ｚ１−Ｚ２方向の両端部が、桁１４２ａと桁１４３ａとに、結合金具２２５ａ、２３５ａによってそれぞれ結合される。また、奥側の柱１８５ｂは、Ｚ１−Ｚ２方向の両端部が、桁１４２ｂと桁１４３ｂとに、結合金具２２５ｂ、２３５ｂによりそれぞれ結合される。
【００５４】
左から２つ目の組の柱１８１ａ、１８１ｂのうち、前側の柱１８１ａは、Ｚ１−Ｚ２方向の両端部が、桁１４２ａと桁１４３ａとに、結合金具２２１ａ、２３１ａによってそれぞれ結合される。また、奥側の柱１８１ｂは、Ｚ１−Ｚ２方向の両端部が、桁１４２ｂと桁１４３ｂとに、結合金具２２１ｂ、２３１ｂによりそれぞれ結合される。
【００５５】
左から３つ目の組の柱１８２ａ、１８２ｂのうち、前側の柱１８２ａは、Ｚ１−Ｚ２方向の両端部が、桁１４２ａと桁１４３ａとに、結合金具２２２ａ、２３２ａによってそれぞれ結合される。また、奥側の柱１８２ｂは、Ｚ１−Ｚ２方向の両端部が、桁１４２ｂと桁１４３ｂとに、結合金具２２２ｂ、２３２ｂによりそれぞれ結合される。
【００５６】
左から４つ目の組の柱１８３ａ、１８３ｂのうち、前側の柱１８３ａは、Ｚ１−Ｚ２方向の両端部が、桁１４２ａと桁１４３ａとに、結合金具２２３ａ、２３３ａによってそれぞれ結合される。また、奥側の柱１８３ｂは、Ｚ１−Ｚ２方向の両端部が、桁１４２ｂと桁１４３ｂとに、結合金具２２３ｂ、２３３ｂによりそれぞれ結合される。
【００５７】
左から５つ目の組の柱１８４ａ、１８４ｂのうち、前側の柱１８４ａは、Ｚ１−Ｚ２方向の両端部が、桁１４２ａと桁１４３ａとに、結合金具２２４ａ、２３４ａによってそれぞれ結合される。また、奥側の柱１８４ｂは、Ｚ１−Ｚ２方向の両端部が、桁１４２ｂと桁１４３ｂとに、結合金具２２４ｂ、２３４ｂによりそれぞれ結合される。
【００５８】
最も右側に配置される組の柱１８６ａ、１８６ｂのうち、前側の柱１８６ａは、Ｚ１−Ｚ２方向の両端部が、桁１４２ａと桁１４３ａとに、結合金具２２６ａ、２３６ａによってそれぞれ結合される。また、奥側の柱１８６ｂは、Ｚ１−Ｚ２方向の両端部が、桁１４２ｂと桁１４３ｂとに、結合金具２２６ｂ、２３６ｂによりそれぞれ結合される。
【００５９】
以上述べたように、上側の構造体３０において、一組の梁１５１ａ、１５１ｂと一組の柱１７１ａ、１７１ｂは、対応する二組の桁１４１ａ、１４１ｂ、１４２ａ、１４２ｂの同じ位置にそれぞれ結合されている。同様に、一組の梁１５２ａ、１５２ｂと一組の柱１７２ａ、１７２ｂも対応する桁の同じ位置にそれぞれ結合され、一組の梁１５３ａ、１５３ｂと一組の柱１７３ａ、１７３ｂも対応する桁の同じ位置にそれぞれ結合され、一組の梁１５４ａ、１５４ｂと一組の柱１７４ａ、１７４ｂも対応する桁の同じ位置にそれぞれ結合され、一組の梁１５５ａ、１５５ｂと一組の柱１７５ａ、１７５ｂも対応する桁の同じ位置にそれぞれ結合されている。
【００６０】
さらに、下側の構造体２０においても、一組の梁１５１ｂ、１６５と一組の柱１８５ａ、１８５ｂも対応する桁１４２ａ、１４２ｂ、１４３ａ、１４３ｂの同じ位置にそれぞれ結合されている。同様に、一組の梁１６１ａ、１６１ｂと一組の柱１８１ａ、１８１ｂも対応する桁の同じ位置にそれぞれ結合され、一組の梁１６２ａ、１６２ｂと一組の柱１８２ａ、１８２ｂも対応する桁の同じ位置にそれぞれ結合され、一組の梁１６３ａ、１６３ｂと一組の柱１８３ａ、１８３ｂも対応する桁の同じ位置にそれぞれ結合され、一組の梁１６４ａ、１６４ｂと一組の柱１８４ａ、１８４ｂも対応する桁の同じ位置にそれぞれ結合され、一組の梁１５５ｂ、１６６と一組の柱１８６ａ、１８６ｂも対応する桁の同じ位置にそれぞれ結合されている。
【００６１】
図４は、桁１４２ｂ、梁１５４ｂ、及び、柱１７４ｂの結合構造を示す斜視図である。図４（Ａ）は結合前の状態を示し、（Ｂ）は結合金具を２つ結合させた状態を示している。
図４に示すように、桁１４２ｂの上側（柱１７４ｂ側）の側面１４２ｃには一対のボルト２１７ａ、２１７ｂが固定されている。梁１５４ｂでは、上側の側面１５４ｃに一対のボルト２１９ａ、２１９ｂが固定され、左側の側面１５４ｄにボルト２２０ａが固定されている。さらに、柱１７４ｂでは、前側の側面１７４ｃに一対のボルト２１８ａ、２１８ｂが固定され、左側の側面１７４ｄに一対のボルト２１６ａ、２１６ｂが固定されている。
【００６２】
図４に示すように、ボルト２１６ａ、２１６ｂで結合金具２１４ｂを柱１７４ｂに固定し、ボルト２１７ａ、２１７ｂで結合金具２１４ｂを桁１４２ｂに固定することによって、柱１７４ｂと桁１４２ｂとを互いに固定させる。ボルト２１８ａ、２１８ｂで結合金具２１４ｃを柱１７４ｂに固定し、ボルト２１９ａ、２１９ｂで結合金具２１４ｃを梁１５４ｂに固定することによって、柱１７４ｂと梁１５４ｂとを互いに固定させる。さらに、ボルト２２０ａで結合金具２１４ｄを梁１５４ｂに固定し、ボルト２２０ｂで結合金具２１４ｄを桁１４２ｂに固定することによって、桁１４２ｂと梁１５４ｂとを互いに固定させる。以上により、桁１４２ｂ、梁１５４ｂ、及び、柱１７４ｂを一体に結合させる。
以上のような結合構造は、図４に例示した部位以外の桁、梁、及び、柱の結合構造についても同様である。
なお、図３においては、一部の結合金具のみを表示し、表示された図にしたがって説明している。
【００６３】
以上の構成において、左端の一組の梁１５１ａ、１５１ｂと一組の柱１７１ａ、１７１ｂから右端の一組の梁１５５ａ、１５５ｂと一組の柱１７５ａ、１７５ｂまでが上側の構造体３０を形成し、左端の一組の梁１５１ｂ、１６１ｂと一組の柱１８５ａ、１８５ｂから右端の一組の梁１５５ｂ、１６６と一組の柱１８６ａ、１８６ｂまでが下側の構造体２０を形成する。
【００６４】
図３に示すように、上下に積み重ねられた構造体２０、３０において、上側の構造体３０の一組の梁１５１ａ・１５１ｂともう一組の梁１５２ａ・１５２ｂのＸ１−Ｘ２方向のそれぞれの中間位置に、下側の構造体２０の二組の梁１６１ａ、１６１ｂが配置されている。同様に、四組の梁１５２ａ・１５２ｂ、１５３ａ・１５３ｂ、１５４ａ・１５４ｂ、１５５ａ・１５５ｂのＸ１−Ｘ２方向のそれぞれの中間位置に下側の構造体２０の三組の梁１６２ａ・１６２ｂ、１６３ａ・１６３ｂ、１６４ａ・１６４ｂがそれぞれ配置されている。
【００６５】
図５は、図３に示す骨格構造に対してパネルを取り付けた状態を示す斜視図である。
図５に示すように、上側の構造体３０の区画パネル６１、６２、６３が、３組の梁１５２ａ・１５２ｂ、１５３ａ・１５３ｂ、１５４ａ・１５４ｂにそれぞれ支持され、同様に、下側の構造体２０の区画パネル５１、５２、５３、５４が、４組の梁１６１ａ・１６１ｂ、１６２ａ・１６２ｂ、１６３ａ・１６３ｂ、１６４ａ・１６４ｂにそれぞれ支持されている。また、側面パネル４１、４２、４３、４４も、区画パネルと同様に、４組の梁１５５ｂ・１６６、１５５ａ・１５５ｂ、１５１ｂ・１６５、１５１ａ・１５１ｂにそれぞれ支持されている。
【００６６】
図６は、一組の梁１５５ａ・１５５ｂによる側面パネル４２の支持構造を示す斜視図である。図７（Ａ）は、梁１５５ａによる側面パネル４２の上部の支持構造を示す側面図、（Ｂ）は梁１５５ｂによる側面パネル４２の下部の支持構造を示す側面図、（Ｃ）は梁１５５ａと、取り付けレール材２４２と、レール部４２ａ１、４２ｃ１との関係を示す側面図である。
【００６７】
図６に示すように、側面パネル４２は３枚の板材４２ａ、４２ｂ、４２ｃを接着剤で貼り合わせた構造を有し、梁１５５ａに固定された取り付けレール材２４２によって支持されている。より具体的な支持構造は次のとおりである。
【００６８】
図７に示すように、側面パネル４２の外側の２枚の板材４２ａ、４２ｃの上部内面には、Ｙ１−Ｙ２方向に沿って延びるレール部４２ａ１、４２ｃ１がそれぞれ設けられている。これらのレール部４２ａ１、４２ｃ１の上部には、図７（Ｃ）に示すように、内側へ凸となるような湾曲形状を有する係合部４２ａ２、４２ｃ２がそれぞれ形成されている。
【００６９】
一方、梁１５５ａの下面には、図７（Ｃ）に示すように、ボルト２４２ｃによって、Ｙ１−Ｙ２方向に沿って延びる取り付けレール材２４２が固定されている。この取り付けレール材２４２の下面には、係合部４２ａ２、４２ｃ２に対応するような湾曲した溝形状を有する係合凹部２４２ａ、２４２ｂがＸ１−Ｘ２方向において互いに対応するように設けられている。この係合凹部２４２ａ、２４２ｂは、Ｙ１−Ｙ２方向に沿って延びるようにそれぞれ設けられている。
【００７０】
以上の構成において、図７（Ａ）に示すように、梁１５５ａの下方に板材４２ｂを予め配置した状態で、係合凹部２４２ａ内へ、その湾曲形状にしたがって係合部４２ａ２を挿入することによって、板材４２ａをＺ１−Ｚ２方向に沿うように配置し、また、係合凹部２４２ｂ内へ、その湾曲形状にしたがって係合部４２ｃ２を挿入することによって、板材４２ｃをＺ１−Ｚ２方向に沿うように配置する。これにより、３枚の板材４２ａ、４２ｂ、４２ｃがＺ１−Ｚ２方向に沿った状態で重なり合い、接着剤によって貼り合わせられる。
【００７１】
ここで、側面パネル４２の中板４２ｂは、図６に示すように、梁１５５ｂの上面によって支持させてもよいが、図７（Ｂ）に示すように、梁１５５ｂの上面に対してボルト２４３ｃによって固定された取り付けレール材２４３の上面に支持させてもよい。また、側面パネル４２は、梁１５５ｂ又は取り付けレール材２４３に対して、ビス、ボルト、接着剤などによって固定するとよい。
以上説明した側面パネル４２の支持構造は、区画パネルについても同様であって、各区画パネルは対応する組の梁によって支持される。
【００７２】
また、天井パネル８１、８２、８３、８４は、組となる桁１４１ａ、１４１ｂにそれぞれ支持される。同様に、床パネル９１、９２、９３、９４は、組となる桁１４２ａ、１４２ｂによってそれぞれ支持される（図８参照）。さらに、床パネル７１、７２、７３、７４、７５も、組となる桁１４３ａ、１４３ｂによってそれぞれ支持される。
【００７３】
図８は、床パネル９４が一組の桁１４２ａ、１４２ｂによって支持される構造を示す斜視図である。図８に示すように、床パネル９４は３枚の板材９４ａ、９４ｂ、９４ｃを接着剤で貼り合わせた構造を有し、中板９４ｂよりも平面積の大きな外側の２枚の板９４ａ、９４ｃのＹ１−Ｙ２方向の両端が桁１４２ａ、１４２ｂによって支持されている。この支持は、桁上に置くだけでもよいし、ビス、ナット等によって固定してもよい。
なお、区画パネルや側面パネルの支持構造によっては、桁に代えて、又は桁に加えて、梁によって天井パネルや床パネルを支持させてもよい。
【００７４】
また、背面パネル４５、４６は、ビス、ナット等によって、背面を構成する、桁１４１ｂ、１４２ｂ、１４３ｂ、柱１７１ｂ、１７２ｂ、１７３ｂ、１７４ｂ、１７５ｂのすべて又は一部に固定する。
【００７５】
図９は、一部の前面化粧部の支持構造を示す斜視図であり、図１０は、図９に対応する前面化粧部の支持構造を示す背面図である。図１０は、カプセルベッド１０の内部から１０の前面側を見た図である。
【００７６】
図９又は図１０に示すように、柱１７１ａの前面に２つの金属結合板２５１ａ、２５１ｂが上から下へ順に固定され、柱１７２ａの前面に２つの金属結合板２５２ａ、２５２ｂが上から下へ順に固定され、柱１７３ａの前面に２つの金属結合板２５３ａ、２５３ｂが上から下へ順に固定され、柱１７４ａの前面に２つの金属結合板２５４ａ、２５４ｂが上から下へ順に固定されている。
また、桁１４２ａの前面にも左から右へ順に金属結合板２５５ａ、２５５ｂ、２５５ｃ、２５５ｄ、２５５ｅ、２５５ｆが固定されている。
さらに、柱１８１ａの前面に２つの金属結合板２５６ａ、２５６ｂが上から下へ順に固定され、柱１８２ａの前面に２つの金属結合板２５７ａ、２５７ｂが上から下へ順に固定され、柱１８３ａの前面に２つの金属結合板２５８ａ、２５８ｂが上から下へ順に固定されている。
【００７７】
図１０に示すように前面化粧部１００の足場部１０１は、ビスによって金属結合板２５５ａ、２５５ｂ、２５６ａ、２５６ｂに固定され、これにより、柱１８１ａに対応する位置に取り付けられる。区画フレーム部１０２は、ビスによって金属結合板２５１ｂ、２５５ａに固定され、これにより、柱１７１ａに対応する位置に取り付けられる。区画フレーム部１０３は、予め区画フレーム部１１２と結合された状態で、ビスによって金属結合板２５２ｂ、２５５ｂ、２５５ｃに固定され、これにより、柱１７２ａに対応する位置に取り付けられる。同様にして、前面化粧部１１０の足場部１１１は柱１８２ａに対応する位置に取り付けられ、前面化粧部１２０の足場部１２１は柱１８３ａに対応する位置に取り付けられる。また、予め互いに結合された２つの区画フレーム部１１３、１２２は柱１７３ａに対応する位置に取り付けられる。図９、図１０には図示しないが、区画フレーム部１２３は前面化粧部１３０の区画フレーム部１３２と予め結合され、柱１７４ａに対応する位置に取り付けられる。
【００７８】
以上のように構成されたことから、上記実施形態によれば、次の効果を奏する。
（１）上側の構造体３０の複数の床パネルのＸ１−Ｘ２方向のそれぞれの中間位置に下側の構造体２０の複数の区画パネルがそれぞれ配置されており、また、上側の構造体３０の複数組の梁のＸ１−Ｘ２方向のそれぞれの中間位置に下側の構造体２０の複数組の梁がそれぞれ配置されている構成により、上段の寝室の床パネルの強度を確保し、下段の寝室の利用者が受けうる不快感や不安感を抑えることができる。
（２）上側の構造体３０でＸ１−Ｘ２方向に隣り合う２本の柱と、下側の構造体２０のＸ１−Ｘ２方向で２本の柱の間に配置された柱とによって支持された、正面視Ｙ字状の前面化粧部を備える構成により、ステップを上ると、体を曲げることなくそのまま上側の寝室に入ることができるため、上段の寝室の利用者が、無理な姿勢を取ることなく容易に目的の寝室に出入りすることが可能となる。
（３）上述のような、梁、桁、及び柱からなる骨格構造に対してパネルや前面化粧部を取り付ける構成により、カプセルベッド１０を容易かつ低コストで組み立てることができる。
本発明について上記実施形態を参照しつつ説明したが、本発明は上記実施形態に限定されるものではなく、改良の目的または本発明の思想の範囲内において改良または変更が可能である。
【産業上の利用可能性】
【００７９】
以上のように、本発明に係るカプセルベッドは、上段の寝室の床パネルの強度を確保し、下段の寝室の利用者が受けうる不快感や不安感を抑えることができる点で有用である。
【符号の説明】
【００８０】
１０    カプセルベッド
２０    下側の構造体
２１、２２、２３  寝室
２４、２５  小室
３０    上側の構造体
３１、３２、３３、３４  寝室
４１、４２、４３、４４  側面パネル
４２ａ、４２ｂ、４２ｃ  板材
４２ａ１、４２ｃ１  レール部
４２ａ２、４２ｃ２  係合部
４５、４６  背面パネル
５１、５２、５３、５４、６１、６２、６３  区画パネル
７１、７２、７３、７４、７５  床パネル
８１、８２、８３、８４  天井パネル
９１、９２、９３、９４  床パネル
９４ａ、９４ｂ、９４ｃ  板材
１００  前面化粧部
１０１  足場部
１０１ａ、１０１ｂ、１０１ｃ  ステップ
１０２、１０３  区画フレーム部
１０２ａ、１０３ａ  手摺
１０２ｓ、１０３ｓ、１０３ｂ  側面
１１０  前面化粧部
１１１  足場部
１１２、１１３  区画フレーム部
１１２ｓ  側面
１２０  前面化粧部
１２１  足場部
１２２、１２３  区画フレーム部
１３０  前面化粧部
１３１  足場部
１３２、１３３  区画フレーム部
１４１ａ、１４１ｂ、１４２ａ、１４２ｂ、１４３ａ、１４３ｂ  桁
１５１ａ、１５１ｂ、１５２ａ、１５２ｂ、１５３ａ、１５３ｂ  梁
１５４ａ、１５４ｂ、１５５ａ、１５５ｂ  梁
１６１ａ、１６１ｂ、１６２ａ、１６２ｂ、１６３ａ、１６３ｂ  梁
１６４ａ、１６４ｂ、１６５、１６６  梁
１７１ａ、１７１ｂ、１７２ａ、１７２ｂ、１７３ａ、１７３ｂ  柱
１７４ａ、１７４ｂ、１７５ａ、１７５ｂ  柱
１８１ａ、１８１ｂ、１８２ａ、１８２ｂ、１８３ａ、１８３ｂ  柱
１８４ａ、１８４ｂ、１８５ａ、１８５ｂ、１８６ａ、１８６ｂ  柱
２０１ａ、２０１ｂ、２０２ａ、２０２ｂ、２０３ａ、２０３ｂ  結合金具
２０４ａ、２０４ｂ、２０５ａ、２０５ｂ  結合金具
２１１ａ、２１１ｂ、２１２ａ、２１２ｂ、２１３ａ、２１３ｂ  結合金具
２１４ａ、２１４ｂ、２１４ｃ、２１４ｄ、２１５ａ、２１５ｂ  結合金具
２１６ａ、２１６ｂ、２１７ａ、２１７ｂ、２１８ａ、２１８ｂ  ボルト
２１９ａ、２１９ｂ、２２０ａ、２２０ｂ  ボルト
２２１ａ、２２１ｂ、２２２ａ、２２２ｂ、２２３ａ、２２３ｂ  結合金具
２２４ａ、２２４ｂ、２２５ａ、２２５ｂ、２２６ａ、２２６ｂ  結合金具
２３１ａ、２３１ｂ、２３２ａ、２３２ｂ、２３３ａ、２３３ｂ  結合金具
２３４ａ、２３４ｂ、２３５ａ、２３５ｂ、２３６ａ、２３６ｂ  結合金具
２４２、２４３  取り付けレール材
２４２ａ、２４２ｂ  係合凹部
２４２ｃ、２４３ｃ  ボルト
２５１ａ、２５１ｂ、２５２ａ、２５２ｂ、２５３ａ、２５３ｂ、２５４ａ、２５４ｂ、  金属結合板
２５５ａ、２５５ｂ、２５５ｃ、２５５ｄ、２５５ｅ、２５５ｆ  金属結合板
２５６ａ、２５６ｂ、２５７ａ、２５７ｂ、２５８ａ、２５８ｂ  金属結合板
Ｘ１−Ｘ２方向  左右方向
Ｙ１−Ｙ２方向  前後方向
Ｚ１−Ｚ２方向  上下方向
【図１】
2018035516.tif 000003
【図２】
2018035516.tif 000004
【図３】
2018035516.tif 000005
【図４】
2018035516.tif 000006
【図５】
2018035516.tif 000007
【図６】
2018035516.tif 000008
【図７】
2018035516.tif 000009
【図８】
2018035516.tif 000010
【図９】
2018035516.tif 000011
【図１０】
2018035516.tif 000012